(57)【要約】【課題】卓球練習時に散らばった球を立ったままで集める方法に関し、すくい取り式はすくう時にやはり少しかがみ込み気味になる上に、球が逃げたり飛び出したりする。フレーム面に線材を張りそこで押さえて集球する方法は、集球具が嵩張ったり重かったり、台やイスの下等は拾い難かったり、排球時に球が散らばったり、製造費高価等の課題あり。【解決手段】柄６と球保持部７とフレーム２から成る集球具１を使い、そのフレーム２の開口部に集球部３と排球部４を併設。集球部３には球の直径より狭い間隔で線状物５を張り、排球部４（球の大円より広く確保）には筒状の落下防止具９Ａを装着。集球時（集球部３で球を押さえ集球）は、係止具１１をフック１０に係止し落下防止具９Ａで排球部４を覆い塞ぐ。排球時は係止具１１を外し落下防止具９Ａを図の状態へ戻すと、球は排球部４を通り落下防止具９Ａから落下排球される。【選択図】図２
2009189768.tif 000002
【特許請求の範囲】
【請求項１】
フレーム２に球保持部７と柄６とを装着して成る集球具１において、該フレーム２で囲まれた開口部分に集球部３と排球部４とを設け、該集球部３には線状物５を球８の直径より狭い間隔で張り、該排球部４はその広さを球８の大円の１．５倍以上とした事を特徴とする卓球用集球具。
【請求項２】
上記排球部４の部分に、筒状或いはシート状、或いはそれらの組合せ形状をした落下防止具９を装着した事を特徴とする請求項１に記載の卓球用集球具。
【請求項３】
上記球保持部７が排球部４に対面する部分或いは排球部４の上面部分に、板状や塊状或いはこれらの変形状や組合せ形状をした落下防止具９を装着した事を特徴とする請求項１に記載の卓球用集球具。
【発明の詳細な説明】
【技術分野】
【０００１】  本発明は、多数の球を使い卓球の練習をする時に、床にちらばった多数の球をかがみ込まずに立ったままで楽に拾い集めて回収出来る集球具に関するものである。
【背景技術】
【０００２】  床面に散乱した多数の球を集めるのに屈み込んで手で１球１球拾うのは、足腰への負担と疲労感が強く又効率も悪い。そこで、最近は（非特許文献１）や（図１０）に示す様なネットでのすくい取り具が多用されているが、やはり少しかがみ込み気味になる上に、球が逃げてすくい取りにくかったり、せっかく集めた球がすくい取り用の開口部から飛び出したりして使いにくい面がある。【０００３】  これらの改良を目的とし、球をすくい取る開口部に線材等を球の直径より狭い間隔で張り、すくい取るのでなく上から球を押さえて、その線材間を通った球を集める方法が（特許文献１〜３）の様に提案されている。この方法であれば、卓球の球は軽いので線材の上に集まった球は落下しない。ただ、この（特許文献１〜３）に提案された方法にも問題点があり改良が必要である。【０００４】  例えば、（特許文献１）や（特許文献２）の場合、かさばり感や重く扱いにくい感があると共に、台やイス等の障害物などの近くやそれらの下にある球が拾いにくいという問題がある。また、拾い集めた球は練習に再使用するため容器に移し替える必要があるが、その取出し口が球を集めた集球部分とは別の部分に設けてあるので、球を移し替えるためにはこの集球具をひっくり返さなければならず使いにくい。【０００５】  ただ（特許文献２）では、同文献の図３で示されている様に、下面開口部の周枠体が押しボタン装置で開閉出来る工夫も提案されている。これを装着すれば球を取出す時に拾集器を上下ひっくり返す必要はないが、構造が複雑化し重くなり扱いにくくなる点や製造コストアップ等の問題もある。また、取出し口がぱっくりと開く構造なので、移し替える時に球があちこちへ散らばって落下してしまうという問題もある。【０００６】  （特許文献３）の発明の場合、椅子や台等の近くやそれらの下にある球の拾い易さは改善されているが、集めた球の取出し口の開閉が筒状の柄の中に設けた添え棒で操作する構造となっていて、構造や使い易さ、製造コスト、移し替える時の球の散らばり等の面から改善が必要と考えられる。【０００７】
【特許文献１】実開昭６３−０４３５６５。
【特許文献２】登録実用新案第３００１２７７。
【特許文献３】特許登録第３６６０５８５。
【非特許文献１】
2009189768.tif 000003
【発明の開示】
【発明が解決しようとする課題】
【０００８】  卓球の練習時に床面に散乱した多数の球を疲れが少なく効率よく集める方法としては、最近ではネット付きのすくい具（非特許文献１や図１０参照）が多用されている。しかし、この方法もすくう時にまだ少しかがみ込み気味になる上に、球が逃げてすくい難かったり、せっかく集めた球がすくい取り用の開口部から飛び出してしまったりして使いにくい面がある。【０００９】  そのため、このすくい取り用の開口部に線材類を球の直径より狭い間隔で張り、それを球の上から押さえつけて集球する方法が（特許文献１〜３）の様に提案されている。しかし、これらの集球具にも次の様な問題点があり改善が必要である。【００１０】  即ち、集球具自体がかさばっていたり、重かったり、扱いにくかったり、製造コストが高かったり、あるいは腰掛けやイス、台等の近くやそれらの下にある球は拾いにくかったり、更には集めた球を別の容器に移し替える時に集球具をひっくり返す操作が必要だったり、あるいはその時に球があちこちへ散らばって落下してしまったり等の問題点である。
したがって、本発明はこれらの問題点の改善を図ったものである。
【課題を解決するための手段】
【００１１】  本発明は、上記課題を解決するために、フレーム２に球保持部７と柄６とを装着して成る集球具１において、そのフレーム２で囲まれた開口部分に集球部３と排球部４とを設け、集球部３には線状物５を球８の直径より狭い間隔で張り、排球部４はその広さを球８の大円の１．５倍以上とする方法により解決した。【００１２】  更に、排球部４の部分に、筒状或いはシート状、或いはそれらの組合せ形状をした落下防止具９を装着する方法により解決した。【００１３】  更には、球保持部７が排球部４に対面する部分或いは排球部４の上部部分に、板状や塊状或いはこれらの変形状や組合せ形状をした落下防止具９を装着する方法により解決した。
【発明の効果】
【００１４】  上述の課題を解決するために、上述の解決手段を工夫した結果、下記の様な効果が得られた。【００１５】（イ）本発明の集球具を使えば、かがみ込まずに立ったままで球を拾い集められるので、多数の球を使っての練習時等では足腰への負担や疲労感が大変軽くて済む。
（ロ）本発明の集球具は軽くて嵩張り感などもないので大変使い易く、更には球を集球部で押さえて集めるので、従来のすくい取り式のものの様にすくう時に球が逃げたり飛び出したりする事もなく安心して使える。【００１６】（ハ）更には、フレーム内に集球部と排球部とを併設したので、台やイス、腰掛け等の下や近くにある球でも容易に集球出来るし、集めた球の取出しの際にもわざわざ集球具を上下ひっくり返す必要がなく、そのままの状態で出来、しかもワンタッチ操作で可能である。また、その取出し時に球があちこちへ散らばって落下する心配もない。
（二）更には、構造が複雑でなく構成もシンプルなので、上述の様に使い勝手に優れていると共に、製造コストも安価で済むというメリットもある。
【発明を実施するための最良の形態】
【００１７】  本発明は、例えば現在多用されているネット付きのすくい取り具（図１０参照）をベースに説明すると、その球をすくい取るための開口部（フレームで囲まれた部分）に、球を拾い集めるための集球部と集めた球を取出し排出するための排球部とを併設した事を大きな特徴とするものである。【００１８】  即ち、フレームで囲まれた開口部を集球部と排球部とに区分し、集球部には線状物を球の直径より狭い間隔で張り、床の上の球をその面で押さえて、その線状物の間を通った球を集める。線状物としては柔軟で復元性ある弾性体が好ましく、魚釣り用のテグス類とかバトミントンやテニスのラケット用のガット類などが好適である。線状物は互いに平行状に張ってもあるいは交叉状に張っても支障ない。【００１９】  排球部は、集めた球をここから取出し排出させ別の容器に移し替える等の為の部位であるので、ここには球がスムーズに排出されるに必要な開口広さを確保する。そのためにその開口部の広さは球の大円の１．５倍以上とする。【００２０】  開口部は広い方が排球はスムーズである。しかし広くすると折角集めた球がそこから落ちてしまう場合もあるので、その場合にはその部位に落下防止具９を装着する。落下防止具９としては、ネットやフィルム、布、紙等、あるいはこれらの複合や組合せで作った筒状やシート状、或いはそれらの組合せ形状のものを、排球部４の開口部分に装着する。【００２１】  更には、板状や塊状、或いはこれらの変形状や組合せ形状をしたものを、球保持具７が排球部４に対面する部分或いは排球部４の上面部分に装着する方法によっても落下を防止出来る。この場合、落下防止具９により排球部４の開口広さが球８の大円より狭くなる様に、その形状や大きさ等を設計しておく。
以下、実施例にもとづき本発明についてさらに説明する。
【実施例１】
【００２２】  本実施例は、集球具１のフレーム２の開口部に集球部３と排球部４とを設け、集球部３には線状物５を互いに平行状に張り、排球部４には筒状をした落下防止具９を装着した実施例である。図１〜図４にその実施例図を示す。図１はフレーム２内に集球部３と排球部４とを設けた図を、図２は排球部４に筒状の落下防止具９を装着し形成の集球具１の斜視図を、図３と図４とはその使用状態図を示す。【００２３】  図１に示す様に、フレーム２内の開口部分を仕切り１３を境として、左側に集球部３を、右側の柄６の方に排球部４を設けた。集球部３の方には、球の直径より狭い間隔で線状物５を平行状に張った。線状物５としては魚釣り用のテグスを使用した。更に、図２に示す様に、フレーム２の上方部分には球保持部７を、排球部４の下方部分には落下防止具９Ａを装着した。【００２４】  球保持部７としては、現在多用されているすくい取り式集球具（図１０参照）に使用されているものと同様のネットを使用した。落下防止具９Ａとしては、図２に示す様に、両端に開口部分を有する筒状のネットで作成の落下防止具９Ａを使用し、その一端の開口部分を排球部４の部分に装着した。更に、集球の際に落下防止具９Ａで排球部４の開口部分を塞いだ状態にする為に、落下防止具９Ａの下端部分にリング状をした係止具１１を、柄６の方にフック１０を取り付けた。【００２５】  以上の様にして形成の本実施例の集球具１の使用方法について図３〜図４で説明する。
球を拾い集める時には、まず落下防止具９Ａに取り付けている係止具１１を、図３に示す様に、柄６に取り付けているフック１０に係止し、落下防止具９Ａで排球部４を覆い塞いだ状態とする。その後、集球部３の面を床面上の球８の上にかぶせ押しつける様にすると、球８は線状物５の間を通り球保持部７の方に集球される。【００２６】  この様にして集球された球８は、球保持部７が一杯になったらそこから移し替える為に取出す必要がある。例えば、別の容器１２に移し替える時は、図４に示す様に、容器１２の開口部上方で係止具１１をフック１０から外せば、落下防止具９Ａは元の筒状に戻り排球部４を塞いでいた状態も解消され、球保持部７の中の球８は排球部４から落下防止具９Ａの中を通り容器１２へ落下する。落下がスムーズでない時は、球保持部７の先端部分（図で左端部分）を上方へ上げればスムーズとなる。【００２７】  このように落下防止具９Ａは、集球の時は排球部４を覆い塞ぎ、排球の時は開口状態にする役目のものであるので、ネットや布、軟質シート等の変形容易なもので形成の筒状やシート状等のものが適している。シート状のものを排球部４の左側部分に取り付け、フック１０と係止具１１で同様に集球と排球の使い分けをさせる事も出来るが、移し替えなどを考えた場合には、下端部の方を円状に絞ったシュート状や囲い状のものの方が使い易い。【００２８】  集球時に排球部４を落下防止具９Ａで覆い塞ぐ為の方法としては、本実施例では係止具１１をフック１０に係止する方法で行ったが、クリップ類を使ったり、紐類で結んだり、手で持ったり等のその他のいろいろの方法で行っても特に支障はない。【００２９】  なお、フレーム２への柄６の取り付けは、図８に示す様に、集球部３の面を床面に平行にした時、柄６は床面に平行になる様にではなく上方へ反った形になる様にした方が使い易い。これは、集球部３の面を球８へ押しつける様にして集球するためである。その反りの具合は使う人の体形等により一概には定まらないが、大略図３程度が好適である。【００３０】  上記の本実施例の集球具１を実際に使ってみたところ、［０００８］〜［００１０］に記載の課題等は改善されており大変使い勝手の良いものであった。なお、使用しない時など壁等に立て掛けておく時があるが、柄６が反っているため滑り易いので、柄６の先端部（図３で右端部）にゴムの滑り止め等を付けておくと安心して立て掛けられる。
【実施例２】
【００３１】  本実施例が実施例１と異なる点は、実施例１では落下防止具９として筒状の落下防止具９Ａを使用したのに対し、本実施例では板状の落下防止具９Ｂを使用した点である。図５〜図９にその実施例図を示す。【００３２】  図１に示す集球部３と排球部４とを設けた柄６付きフレーム２を使用し、そのフレーム２の上方には実施例１と同様の球保持部７を装着する。その球保持部７が排球部４に対面する部分に大略扇形をした板状の落下防止具９Ｂを装着する。その斜視図を図５に、平面図を図６に、底面図を図７に、正面図を図８（集球中の使用状態図）に示す。【００３３】  落下防止具９Ｂの装着はその球保持部７が排球部４に対面する部分に、即ち集球時に落下防止具９Ｂがその重さで球保持部７と共に排球部４を覆い塞ぎ、排球部４の開口広さが球８の大円より狭い状態となる様に装着する。本実施例では、図５〜図９に示す様に、球保持部７の外側面に装着し、更に、落下防止具９Ｂをフレーム２の右側に寄せて、その右端部分がフレーム２の柄６取付部位に隣接するようにした。【００３４】  この様に装着すれば、落下防止具９Ｂはその右端部分を支点として左端部分が上下に容易に開閉できる。なお、左端部を持ち上げた時には、その部分の開きが球８の大円より広くなる様に設定しておく。球保持部７にはネットを使用し、落下防止具９Ｂにはフェルトを使用した。【００３５】  上述の開閉を利用すれば集球と排球を容易に行う事が出来る。集球は実施例１と同様な要領で行う。即ち、集球の為には、図８に示す様に、床面上の球８の上に集球具１を持ってくるが、この様にフレーム２を水平状にした時には、落下防止具９Ｂがその重さで球保持部７を押し下げて排球部４の部分を覆い塞ぐ。その結果、球８が集球中にここから落下流出する恐れはなく、実施例１と同様に集球出来る。【００３６】  集めた球を取出して別の容器１２へ移したい等の時には、図９に示す様に、集球具１の先端部（図で左端部分）を持ち上げ、更に落下防止具９Ｂの左端部域も指で矢印方向へ持ち上げれば、落下防止具９Ｂはその右端部分を支点として持ち上がりその下に球８の大円より大きいスペースが出来、球保持部７の中の球８はそこを通り排球部４から容器１２へ落下していく。【００３７】  球保持部７としては軽さや耐久性等の良いものであればいろいろのものが使えるが、その中でもネットは内部が見えるし、また柔軟性もあり変形が容易であるので本実施例用としては好適であり使用した。ネットを使用したので、落下防止具９Ｂとしては比較的軽くて加工し易い素材、例えば布地やフェルト、コルク、樹脂、ゴム、板等で作ったものでも容易に球保持部７を押し下げて排球部４を覆い塞ぐことが出来るし、排球時の持ち上げも容易である。【００３８】  落下防止具９Ｂとして、本実施例では、フラットな形の扇状の板状物を使用したが、円状やハート状、矩形状等のものも使用出来、更には球状や立方体状、ブロック状、その他やそれらの凹凸形状等の塊状のものや、それらの組合せ形状のものも同様に使用する事が出来る。また、本実施例では落下防止具９Ｂは球保持部７の外側面に装着したが内側面でもよく、更には球保持部７でなく排球部４の上面部分に装着してもよい。例えば落下防止��９Ｂの左端部分を線状物５の上に載せ、右端部分をフレーム２の柄６の方の部分等に取り付ける様に装着してもよい。【００３９】  本実施例の集球具１の使用要領等は上述の通りであり、使い勝手も実施例１と同様に大変良かった。落下防止具９Ｂによる重さ増加や使い難さ等を心配したが特に問題はなかった。
【図面の簡単な説明】
【００４０】
【図１】フレーム内の開口部分に集球部と排球部を設けた図。
【図２】筒状の落下防止具を装着の集球具の斜視図。
【図３】同上集球具で球を集球中の図。
【図４】同上集球具から球を排出中の図。
【図５】板状の落下防止具を装着の集球具の斜視図。
【図６】同上集球具の平面図。
【図７】同上集球具の底面図。
【図８】同上集球具で球を集球中の図。
【図９】同上集球具から球を排出中の図。
【図１０】市販のすくい取り式集球具。
【符号の説明】
【００４１】    １、集球具
２、フレーム
３、集球部
４、排球部
５、線状物
６、柄
７、球保持部
８、球
９、９Ａ、９Ｂ、落下防止具
１０、フック
１１、係止具
１２、容器
１３、仕切り
【図１】
2009189768.tif 000004
【図２】
2009189768.tif 000005
【図３】
2009189768.tif 000006
【図４】
2009189768.tif 000007
【図５】
2009189768.tif 000008
【図６】
2009189768.tif 000009
【図７】
2009189768.tif 000010
【図８】
2009189768.tif 000011
【図９】
2009189768.tif 000012
【図１０】
2009189768.tif 000013